(57)【要約】【課題】過去に発生したＩＰ網の状態を知る。【課題を解決するための手段】撮像部と制御部と遠隔制御手段と概制御部と概撮像部とを接続する光複合ケーブルと概制御部と概遠隔制御手段とを接続するインターネットプロトコル（ＩＰ）網とを備える撮像システムにおいて、前記制御部が前記ＩＰ網と通信する機能と前記ＩＰ網の接続状態情報を取得する機能と前記ＩＰ網の接続状態情報を記憶する機能とを有し、一定間隔または前記ＩＰ網の情報接続状態情報の変化を検出した場合に、前記制御部が前記ＩＰ網の情報接続状態情報を累積記憶する。上記撮像システムにおいて、上記撮像部または上記制御部を制御する制御装置と、上記撮像部と、上記制御部との少なくとも一方は表示手段を有し、上記累積記憶したＩＰ網情報を前記表示手段の少なくとも一方に、表示させる。【選択図】図１
2011234017.tif 000002
【特許請求の範囲】
【請求項１】
撮像部と制御部と遠隔制御手段と概制御部と概撮像部とを接続する光複合ケーブルと概制御部と概遠隔制御手段とを接続するインターネットプロトコル（ＩＰ）網とを備える撮像システムにおいて、前記制御部が前記ＩＰ網と通信する機能と前記ＩＰ網の接続状態情報を取得する機能と前記ＩＰ網の接続状態情報を記憶する機能とを有し、一定間隔または前記ＩＰ網の情報接続状態情報の変化を検出した場合に、前記制御部が前記ＩＰ網の情報接続状態情報を累積記憶することを特徴とする撮像装置の制御部。
【請求項２】
請求項１の撮像システムにおいて、上記撮像部または上記制御部を制御する制御装置と、上記撮像部と、上記制御部との少なくとも一方は表示手段を有し、上記累積記憶したＩＰ網情報を前記表示手段の少なくとも一方に、表示させる機能を有することを特徴とする撮像システム。
【発明の詳細な説明】
【技術分野】
【０００１】
本発明は、撮像装置の制御部および撮像システムに関するものである。
【背景技術】
【０００２】
従来、テレビジョンカメラシステムでは撮像部（カメラヘッド、カメラ）と接続された制御部（カメラコントロールユニットCamera Control Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョン（ＨＤＴＶ）では、本線映像信号，送り返し映像信号，音声信号，コントロール用シリアルデータ信号の送受信伝送と電源供給送を光複合ケーブルで用いる方が一般である。
【０００４】
また、一般に制御部（ＣＣＵ：カメラコントロールユニット）を遠隔制御装置（ＲＣＵ：リモートコントロールユニット）や集中遠隔制御装置（ＳＣＵ：セットアップコントロールユニット）で制御している。
【０００５】
従来、カメラヘッドと制御部を光複合ケーブルで接続し、インターネットプロトコル（ＩＰ）網経由で遠隔制御装置や集中遠隔制御装置で制御しているテレビジョンカメラシステムでは、ＩＰ網の情報をログデータとして検出や蓄積していなかった。
【先行技術文献】
【特許文献】
【０００６】
【特許文献１】特開平７−２０３３９９号公報
【発明の概要】
【発明が解決しようとする課題】
【０００７】
過去に発生したＩＰ網の状態を知る事が本発明の目的である。
【課題を解決するための手段】
【０００８】
本発明は、上記課題を解決するため、撮像部と制御部と遠隔制御手段と概制御部と概撮像部とを接続する光複合ケーブルと概制御部と概遠隔制御手段とを接続するインターネットプロトコル（ＩＰ）網とを備える撮像システムにおいて、前記制御部が前記ＩＰ網と通信する機能と前記ＩＰ網の接続状態情報を取得する機能と前記ＩＰ網の接続状態情報を記憶する機能とを有し、一定間隔または前記ＩＰ網の情報接続状態情報の変化を検出した場合に、前記制御部が前記ＩＰ網の情報接続状態情報を累積記憶することを特徴とする撮像装置の制御部である。
【０００９】
また、上記撮像システムにおいて、上記撮像部または上記制御部を制御する制御装置と、上記撮像部と、上記制御部との少なくとも一方は表示手段を有し、上記累積記憶したＩＰ網情報を前記表示手段の少なくとも一方に、表示させる機能を有することを特徴とする撮像システムである。
【発明の効果】
【００１０】
本発明によれば、過去に発生したＩＰ網の状態を知る事ができる。
【図面の簡単な説明】
【００１１】
【図１】本発明の１実施例の撮像部と制御部と遠隔制御手段と光複合ケーブルとＩＰ網を含む撮像システムの全体構成を示すブロック図
【発明を実施するための形態】
【実施例１】
【００１２】
本発明の１実施例の撮像部と制御部と遠隔制御手段と光複合ケーブルとＩＰ網を含む撮像システムの全体構成を示すブロック図の図１を用いて本発明の１実施例を説明する。
【００１３】
図１において、遠隔制御手段はパーソナルコンピュ−タまたは遠隔制御装置または集中遠隔制御装置で構成される。
また、図１において、撮像部はカメラヘッドと呼ばれビューファインダまたはピクチャモニタの表示手段を有する。制御部はＣＣＵ：カメラコントロールユニットと呼ばれ、ＩＰ網と通信する機能とＩＰ網の接続状態情報を取得する機能とＩＰ網の接続状態情報を記憶する機能とを有する。遠隔制御装置はＲＣＵ：リモートコントロールユニットと呼ばれ、集中遠隔制御装置はＳＣＵ：セットアップコントロールユニットと呼ばれ、表示手段の液晶表示部を有する。撮像システムはテレビジョンカメラシステムと呼ばれる。
【００１４】
図１において、カメラヘッドの１Ａ，１Ｂ，１Ｃ，１ＤとＣＣＵの３Ａ，３Ｂ，３Ｃ，３Ｄを光複合ケーブルの２Ａ，２Ｂ，２Ｃ，２Ｄで接続したテレビジョンカメラシステムでは、ネットワークケーブルの４Ａ〜４Ｌと、ネットワークスイッチャの５と７とＩＰ網の６とを経由して、パーソナルコンピュ−タ９またはＳＣＵの１０またはＲＣＵの１１Ａ，１１Ｂ，１１Ｃ，１１Ｄにより、システムの遠隔制御を行なっている。また、リモートコントロールケーブル（リモコンケーブル）の１４Ａ，１４Ｂ，１４Ｃ，１４Ｄで接続した制御装置（ＲＣ：リモートコントロール）の１２Ａ，１２Ｂ，１２Ｃ，１２Ｄで、カメラヘッドの１Ａ，１Ｂ，１Ｃ，１ＤとＣＣＵの３Ａ，３Ｂ，３Ｃ，３Ｄの制御を行なっている。カメラヘッドの表示装置（ビューファインダまたはピクチャモニタ）の１５Ａ，１５Ｂ，１５Ｃ，１５Ｄは、カメラヘッドが撮像している映像やＣＣＵからのリターン映像を表示したり、カメラヘッドのメニューや各種の状態情報を表示したりしている。
【００１５】
図１において、ＣＣＵの３Ａ，３Ｂ，３Ｃ，３ＤまたはＳＣＵの６またはＲＣＵの１１Ａ，１１Ｂ，１１Ｃ，１１ＤがＩＰ網の接続状態情報を監視し、一定間隔、または、ＩＰ網の接続状態情報の変化を検出した場合に、その情報をログデータとして、ＥＥＰＲＯＭまたはＳＳＤまたはＨＤＤの記憶デバイスまたは図示しない外部記憶デバイスにログデータを保存する。
【００１６】
ログデータを参照する場合は、カメラヘッドの１Ａ，１Ｂ，１Ｃ，１Ｄのビューファインダ、ＣＣＵの３Ａ，３Ｂ，３Ｃ，３ＤまたはＲＣの１２Ａ，１２Ｂ，１２Ｃ，１２ＤまたはＳＣＵの１０またはＲＣＵの液晶パネル（ＬＣＤ）に表示させる。
【００１７】
パソコンからネットワクーク経由でＣＣＵの３Ａ，３Ｂ，３Ｃ，３ＤまたはＳＣＵの１０またはＲＣＵの１１Ａ，１１Ｂ，１１Ｃ，１１Ｄのログデータを読み出す方法、あるいは、直接外部記憶デバイスのログデータをパーソナルコンピュ−タの９または図示しないノートブック型パーソナルコンピュ−タにて読み出し、パーソナルコンピュ−タの９または図示しない可搬型パーソナルコンピュ−タの表示手段に表示することにより参照する。
【００１８】
上説明したような本発明によれば、パーソナルコンピュ−タの９またはＳＣＵの１０またはＲＣＵの１１Ａ，１１Ｂ，１１Ｃ，１１Ｄの遠隔制御手段が近くに無い環境でも、カメラヘッドの１Ａ，１Ｂ，１Ｃ，１Ｄまたは、ＣＣＵの３Ａ，３Ｂ，３Ｃ，３ＤまたはＲＣの１２Ａ，１２Ｂ，１２Ｃ，１２Ｄで、過去のネットワーク情報を確認することが可能となる。
【００１９】
また、図示しない可搬型パーソナルコンピュ−タをもちいても、過去のネットワーク情報を確認することが可能となる。
【符号の説明】
【００２０】
１Ａ，１Ｂ，１Ｃ，１Ｄ：撮像部（カメラヘッド）、
２Ａ，２Ｂ，２Ｃ，２Ｄ：光複合ケーブル（光ケーブル）、
３Ａ，３Ｂ，３Ｃ，３Ｄ：制御部（ＣＣＵ：カメラコントロールユニット）、
４Ａ〜４Ｌ：ネットワークケーブル、５，７：ネットワークスイッチャ、
６：インターネットプロトコル（ＩＰ）網、９：パーソナルコンピュ−タ
１０：集中遠隔制御装置（ＳＣＵ：セットアップコントロールユニット）、
１１Ａ，１１Ｂ，１１Ｃ，１１Ｄ：遠隔制御装置（ＲＣＵ：リモートコントロールユニット）、
１２Ａ，１２Ｂ，１２Ｃ，１２Ｄ：制御装置（ＲＣ：リモートコントロール）、
１４Ａ，１４Ｂ，１４Ｃ，１４Ｄ：リモートコントロールケーブル（リモコンケーブル）、
１５Ａ，１５Ｂ，１５Ｃ，１５Ｄ：表示装置（ビューファインダまたはピクチャモニタ）、
【図１】
2011234017.tif 000003